Podtech/llm-jp-corpus-v4-ja_patent huggingface dataset:
(57)【要約】【課題】玄関から直接、居室や便所等を見渡すことのできない構成の住宅構造を提供する。【解決手段】マンションなどの住宅において、玄関扉１の正面であり、玄関２の奥側である部分に一つまたは複数の部屋の壁５を一段または複数段に配置し、前記玄関２の左右側のいずれかに玄関ホール３を連設し、前記玄関ホール３の奥側から奥方向に向かって、居室７や便所８に通じる廊下４を連設する。これによって、玄関扉１を開けて玄関２に入った訪問者が、廊下４に沿って設けた居室７や便所８等を見渡すことができないようにする。【選択図】      図１
0003107966.tif 000002
【実用新案登録請求の範囲】
【請求項１】
マンションなどの住宅において、玄関扉（１）の正面であり、玄関（２）の奥側である部分に一つまたは複数の部屋の壁（５）を一段または複数段に配置し、前記玄関の左右側のいずれかに玄関ホール（３）を連設し、前記玄関ホールの奥側から奥方向に向かって、居室（７）や便所（８）等の部屋に通じる廊下（４）を連設してなる玄関壁付き住宅構造。
【請求項２】
マンションなどの住宅において、玄関扉（１）の正面であり、玄関（２）の奥側である部分に一つまたは複数の部屋の壁（５）を一段または複数段に配置すると共に、該部屋の壁に下足入れ（６）を取付け、前記玄関の左右側のいずれかに玄関ホール（３）を連設し、前記玄関ホールの奥側から奥方向に向かって、居室（７）や便所（８）などの部屋に通じる廊下（４）を連設してなる玄関壁付き住宅構造。
【考案の詳細な説明】
【技術分野】
【０００１】
本考案は、マンションなどにおいて、玄関から直接、居室や便所等を見渡すことのできない構成の住宅構造に関するものである。
【背景技術】
【０００２】
従来、マンションなどの住宅構造にあっては、一般に、玄関扉を開けると、その玄関扉の正面に奥側に向かって直線状の廊下が配置されているため、当該廊下に沿って配置されている居室や便所を玄関から見渡すことができる。そのため、当該住宅の住人は、訪問者に見せたくない不要な物まで見せてしまうことがあり、プライバシーを良好に保つ点において問題がある。
【考案の開示】
【考案が解決しようとする課題】
【０００３】
このような問題を解決するために、玄関ホールに衝立などの目隠しを置くことも考えられるが、そうすると玄関ホールが狭くなってしまうので好ましくない。
【０００４】
本考案は、こうした問題に鑑み創案されたもので、玄関から直接、居室や便所等を見渡すことのできない構成の住宅構造を提供することを課題とする。
【課題を解決するための手段】
【０００５】
図１を参照して説明する。請求項１に記載の玄関壁付き住宅構造は、マンションなどの住宅において、玄関扉１の正面であり、玄関２の奥側である部分に一つまたは複数の部屋の壁５を一段または複数段に配置し、前記玄関２の左右側のいずれかに玄関ホール３を連設し、前記玄関ホール３の奥側から奥方向に向かって、居室７や便所８などの部屋に通じる廊下４を連設してなるものである。
【０００６】
請求項２に記載の玄関壁付き住宅構造は、マンションなどの住宅において、玄関扉１の正面であり、玄関２の奥側である部分に一つまたは複数の部屋の壁５を一段または複数段に配置すると共に、当該部屋の壁５に下足入れ６を取付け、前記玄関２の左右側のいずれかに玄関ホール３を連設し、前記玄関ホール３の奥側から奥方向に向かって、居室７や便所８などの部屋に通じる廊下４を連設してなるものである。
【考案の効果】
【０００７】
請求項１に記載の玄関壁付き住宅構造は、玄関扉１の正面であり、玄関２の奥側である部分に一つまたは複数の部屋の壁５を一段または複数段に配置し、玄関２の左右側のいずれかに玄関ホール３を連設し、さらに玄関ホール３の奥側から奥方向に向かって廊下４を連設したので、玄関扉１を開けて玄関２に入った訪問者は、その正面に一つまたは部屋の壁５が存在することとなり、よって、玄関ホール３を挟んで連設した廊下４に沿って設けた居室７や便所８等を見渡すことができない。従って、住人は当該訪問者に不要な物を見られることがなく、プライバシーを良好に保つことができる。
【０００８】
なお、玄関２の左右側のいずれかに設けた玄関ホール３によって、玄関部分に大きな空間を形成することができ、よって、玄関部分に充分な開放感を与えることができる。
【０００９】
請求項２に記載の玄関壁付き住宅構造は、請求項１に記載の発明と同様に、玄関扉１を開けて玄関２に入った訪問者は、廊下４に沿って配置した部屋等を見渡すことができないので、住人は当該訪問者に不要な物を見られることがない。また、玄関２の左右側のいずれかに設けた玄関ホール３によって、玄関部分に充分な開放感を与えることができる。
【００１０】
さらに、部屋の壁５には下足入れ６を取付けたので、当該下足入れ６に多くの靴などを収納することができ、玄関２を綺麗に保つことができる。
【考案を実施するための最良の形態】
【００１１】
本考案に係る玄関壁付き住宅構造の実施形態を、図１に示す。この住宅構造は、マンションの住戸におけるもので、玄関扉１の正面であり、玄関２の奥側である部分に納戸の壁５ａと便所の壁５ｂを二段にわたって配置すると共に、玄関２の左側に玄関ホール３を連設している。また、玄関ホール３の奥側から奥方向に向かって、居室７や便所８に通じる廊下４を連設している。なお、納戸の壁５ａには下足入れ６を取付けている。
【００１２】
こうした構成の住宅構造においては、玄関扉１の正面であり、玄関２の奥側である部分に納戸の壁５ａと便所の壁５ｂを二段にわたって階段状に配置しているので、玄関扉１を開けて玄関２に入った訪問者は、その正面に位置する二つの壁５ａ，５ｂによって、廊下４に沿って配置した居室７や便所８等を見渡すことができない。従って、住人は当該訪問者に不要な物を見られることがなく、プライバシーを良好に保つことができる。
【００１３】
また、玄関２の左右側のいずれかに設けた玄関ホール３によって、玄関部分に大きな空間を形成することができ、よって、玄関部分に充分な開放感を与えることができる。
【００１４】
なお、本実施形態においては、マンションにおける住宅構造を示しているが、本発明はこれに限定されるものではなく、戸建ての住宅構造にも採用することができる。
【図面の簡単な説明】
【００１５】
【図１】本発明に係る玄関壁付き住宅構造の実施形態を示す平面図である。
【符号の説明】
【００１６】
１      玄関扉
２      玄関
３      玄関ホール
４      廊下
５      部屋の壁
５ａ    納戸の壁
５ｂ    便所の壁
６      下足入れ
７      居室
８      便所
９      玄関ポーチ
Ｔ      扉
【図１】
0003107966.tif 000003
(57)【要約】【課題】マンションの浴室に、戸外から充分な採光を採り入れることができると共に、開放感を与え、さらに避難用の開口部を与えた住宅構造を提供する。【解決手段】マンションの浴室１において、その戸外Ｓ側の壁に、採光、眺望および避難用のための窓を設ける。また、その窓を、開き窓や引き違い窓などの開放窓２ａを併設した嵌め殺し窓２とし、当該開放窓２ａを、バルコニー３に面して設ける。これにより、浴室１に、自然光を採り入れると共に、外の眺望を眺めることができるようにして開放感を与える。また、事故などの場合には、開放窓２ａからバルコニーに脱出する。【選択図】      図１
0003107962.tif 000002
【実用新案登録請求の範囲】
【請求項１】
マンションの浴室（１）において、その戸外（Ｓ）側の壁に、採光、眺望および避難用のための窓を設けてなることを特徴とする浴室窓付き住宅構造。
【請求項２】
マンションの浴室（１）において、その戸外（Ｓ）側の壁に、採光、眺望および避難用のために、開き窓や引き違い窓などの開放窓（２ａ）を併設した嵌め殺し窓（２）を設け、前記開放窓は、バルコニー（３）に面して設けてなることを特徴とする浴室窓付き住宅構造。
【考案の詳細な説明】
【技術分野】
【０００１】
本考案は、マンションの浴室に、自然光を採り入れることができると共に、開放感を与えることができ、さらに、事故などに対する、より安全性を与えた住宅構造に関するものである。
【背景技術】
【０００２】
従来、マンションの浴室は、その周囲を壁と扉に囲まれており、きわめて閉鎖的な空間であった。
【０００３】
そのため、自然光を採り入れることができず、また、例えば、高層階に位置して眺望に優れる住戸でも、浴室から外の眺望を楽しむことができず、不満足なものであった。
【０００４】
また、浴室で事故等が発生した場合、扉の他に避難することのできる開口部があれば、安全性の点から好ましい。
【考案の開示】
【考案が解決しようとする課題】
【０００５】
本考案は上記した問題を解決するために創案されたもので、マンションなどの共同住宅の浴室に、戸外から充分な採光を採り入れることができると共に、開放感を与え、さらに避難用の開口部を与えた住宅構造を提供することを課題とする。
【課題を解決するための手段】
【０００６】
図１および図２を参照して説明する。請求項１に記載の浴室窓付き住宅構造は、マンションの浴室１において、その戸外Ｓ側の壁に、採光、眺望および避難用のための窓を設けてなることを特徴とするものである。
【０００７】
請求項２に記載の浴室窓付き住宅構造は、マンションの浴室１において、その戸外Ｓ側の壁に、採光、眺望および避難用のために、開き窓や引き違い窓などの開放窓２ａを併設した嵌め殺し窓２を設け、前記開放窓２ａは、バルコニー３に面して設けてなることを特徴とするものである。
【考案の効果】
【０００８】
請求項１に記載の浴室窓付き住宅構造は、マンションの浴室１において、その戸外Ｓ側の壁に、採光、眺望および避難用のための窓を設けたので、これまで閉鎖的であった浴室１に自然光を採り入れることができると共に、その窓から周囲の眺望を楽しむことができる。これにより、開放感に富んだ浴室１とすることができる。さらに、浴室１で事故などが発生した場合には、その窓から脱出することも可能である。
【０００９】
請求項２に記載の浴室窓付き住宅構造は、マンションの浴室１において、その戸外Ｓ側の壁に、採光、眺望および避難用のために、開き窓２ａや引き違い窓などの開放窓２ａを併設した嵌め殺し窓２を設け、前記開放窓２ａは、バルコニー３に面して設けたので、従来、閉鎖的であった浴室１に自然光を採り入れることができる。また、開放窓２ａを備えた嵌め殺し窓２から外の眺望を楽しむことができる。従って、浴室１を開放感に富んだものとすることができる。
【００１０】
また、この住宅構造は、開き窓２ａまたは引き違い窓をバルコニー３に面して設けたので、浴室１内で事故等が発生した場合において、浴室１の扉１ｂから室内へ脱出することが好ましくない状況などでは、当該開放窓２ａからバルコニー３に脱出することができる。従って、事故等に対する安全性にも優れる。
【考案を実施するための最良の形態】
【００１１】
本考案に係る浴室窓付き住宅構造の実施形態を、図１および図２に示す。
この住宅構造は、マンションの浴室１において、その戸外Ｓ側の壁に、採光、眺望および避難用のために、開放窓（開き窓）２ａを併設した嵌め殺し窓２を、浴槽１ａに隣接して設けている。なお、開き窓に代えて、引き違い窓を設けることもできる。
【００１２】
また、この浴室１は住居部分からバルコニー３に突出する状態で設け、その開放窓２ａを、バルコニー３に面して設けている。なお、浴室１の近傍には、洗面所４、台所５、居間６、洋室７、廊下８などを設けている。
【００１３】
本実施形態における浴室窓付き住宅構造は、浴室１に、開放窓２ａを併設した嵌め殺し窓２を設けているので、当該浴室１に充分な自然光を採り入れることができると共に、浴室１から外の眺望を楽しむことができる。従って、開放感に富んだ浴室１とすることができる。
【００１４】
また、この住宅構造は、開放窓２ａをバルコニー３に面して設けているので、浴室１内で何らかの事故等が発生した場合には、当該開放窓２ａからバルコニー３に迅速に脱出することができる。従って、事故等に対する安全性にも優れる。
【図面の簡単な説明】
【００１５】
【図１】本考案の実施形態を示す要部平面図である。
【図２】図１におけるＡ矢視図である。
【符号の説明】
【００１６】
１      浴室
１ａ    浴槽
１ｂ    扉
２      嵌め殺し窓
２ａ    開放窓
３      バルコニー
４      洗面所
４ａ    洗面台
５      台所
５ａ    システムキッチン
６      居間
７      洋室
７ａ    クローゼット
８      廊下
Ｓ      戸外
【図１】
0003107962.tif 000003
【図２】
0003107962.tif 000004
(57)【要約】【課題】  本考案は食品保存用容器の下部（底部）のらっきょう漬け等、漬かり具合の早いものを容易に取り出すことを目的としている。【解決手段】  本考案は食品保存容器の下部（底部）にも開閉用の蓋を取り付けることにより、漬かり具合の早い下部（底部）のらっきょう漬け等を容易に取り出すことができ、はちみつ等、下部（底部）で凝固しがちな食品等も凝固させることなく取り出すことができる。【選択図】  図１
0003107578.tif 000002
【実用新案登録請求の範囲】
【請求項１】
食品保存容器の上部と下部（底部）の二ヶ所に開閉用の蓋を設け、らっきょう漬け等、下部（底部）の漬かり具合の早いほうを取りやすくしたり、はちみつ等、下部（底部）で凝固したほうを取りやすくすることを特徴とする上下どちらからも中身を取り出せる、上下に開閉用の蓋を持つ保存容器
【考案の詳細な説明】
【技術分野】
【０００１】  本案件は、食品保存用容器の上部と下部（底部）の二ケ所に開閉用の蓋を設けた食品保存容器に関するものである。
【背景技術】
【０００２】  従来の食品保存容器は上部に開閉用の蓋があるだけの為、らっきょう漬け等、下部（底部）の漬かり具合の早いほうを食べようとした場合、長い箸やスプーンを使っても取り出しづらい点があった。はちみつ等も下部（底部）で凝固したほうを取り出すことは困難である。
【考案の開示】
【考案が解決しようとする課題】
【０００３】  食品用保存容器でらっきょう漬け等、下部（底部）の漬かり具合の早いものの取り出しを容易にすることを課題としている。
【課題を解決するための手段】
【０００４】  容器の上下に蓋を付けるという事は、容器に底が無い状況の為、容器の中央部分を接着する技術と水のもれない蓋を付ける技術が必要となります。中央部の接着部分には接着した後に蓋の色と同色の帯状の素材を巻き込む事により解決でき、水漏れのない蓋については市販の容器ですでに解決できております。
【考案の効果】
【０００５】  本考案により、らっきょう漬け等、下部（底部）の漬かり具合の早いものを容易に取り出すことができるようになる。
【考案を実施するための最良の形態】
【０００６】  従来の食品保存用容器は上部に開閉用の蓋がありますが、下部（底部）にも同様の蓋を設けることにより最良の形態となる。
【実施例】
【０００７】  以下、添付図面に従って実施例を説明する。１は上部の開閉用の蓋、２は容器本体のつなぎめ（接着部分）、３はつなぎめをカバーする蓋と同色の帯状の巻物、４は下部（底部）の開閉用の蓋、５は容器の本体。
【図面の簡単な説明】
【０００８】
【図１】本考案の実施例を示す正面図
【符号の説明】
【０００９】１  上部の開閉用の蓋
２  容器本体のつなぎめ（接着部分）
３  つなぎめをカバーする蓋と同色の帯状の巻き物
４  下部（底部）の開閉用の蓋
５  容器の本体
【図１】
0003107578.tif 000003
(57)【要約】【課題】  本考案は、ボトル内側の平面だけでなく細部にいたる全てに確実に毛材を接触させられる長さと湾曲を有した形状のブラシで、ボトル内側を洗浄する。【解決手段】  本考案はブラシ１の把手２はボトル底部に毛材５が十分届く長さを有し、ブラシ本体３の柄４は湾曲部４ａ、４ｂを有し、柄４に植毛された毛材５の５ａをボトル内側の口部や肩部に、５ｂをボトル内側の胴部に、柄４の先端をまわり、湾曲部４ｂの内側にも植毛された毛材５ｃをボトル内側の凹凸や細部に、十分な圧力で確実に接触させることによりボトル内側を洗浄する。【選択図】    図１
0003107579.tif 000002
【実用新案登録請求の範囲】
【請求項１】
ブラシの毛材をボトル内側の口部や肩部、胴部や底部の平面だけでなく、凹凸や細部にいたる全てに確実に接触させられる把手の長さと湾曲を有したブラシの形状にしたところを特徴とするボトル洗浄用ブラシ。
【考案の詳細な説明】
【技術分野】
【０００１】  本考案は、ボトル内側の全てを洗浄するための把手の長さと湾曲を有した形状のブラシに関するものである。
【背景技術】
【０００２】  ボトル内側に付着する汚れは洗浄しやすい平面だけでなく、洗浄しにくい口部や肩部、胴部や底部の凹凸にも付着していた。
【考案の開示】
【考案が解決しようとす課題】
【０００３】  ボトル内側の平面に付着した汚れは洗浄しやすいが、ボトル内側の曲面や凹凸に付着した汚れは細部まで確実に洗浄することが難しい。したがって、ボトル内側の細部にいたるまで、確実に毛材を接触させられる把手の長さと湾曲を有したブラシの形状にすることにより、ボトル内側全てを洗浄しようとするものである。
【課題を解決するための手段】
【０００４】  本考案はブラシの毛材をボトル内側の口部や肩部、胴部や底部の平面だけでなく、凹凸や細部にいたる全てに確実に接触させられる把手の長さと湾曲を有したブラシの形状にすることにより、問題点を解決している。
【考案の効果】
【０００５】  上述のように、本考案のボトル洗浄用ブラシは、ボトル内側の平面の洗浄はもちろん、毛材を接触させることができず、洗浄が難しかった口部や肩部、胴部や底部の凹凸や細部にいたる全てに十分な圧力で確実に毛材を接触させられることにより、ボトル内側全ての洗浄として役立つ。
【考案を実施するための最良の形態】
【０００６】  ブラシの把手は細長棒状で、把手端よりブラシ本体の毛材までの長さは、大型のボトル底部にも毛材を接触させられる十分な長さである。ブラシ本体の柄は２カ所の湾曲部を有し、把手より１つ目の湾曲内側を経て２つ目の湾曲膨出側、さらに柄の先端を回り込み湾曲内側に、規則的に毛材を植毛する。
【実施例】
【０００７】  以下、添付図面に従って一実施例を説明する。ブラシ１の把手２とブラシ本体３の柄４は耐久性のプラスチックス等適宜素材にて形成され、ブラシ１の把手２は細長棒状で、大型のボトル底部にも毛材５を接触させられる十分な長さである。【０００８】  ブラシ本体３の柄４は湾曲部４ａと４ｂを有する。毛材５を湾曲部４ａの内側を経て、湾曲部４ｂの膨出側に規則的に植毛し、５ａと５ｂとする。さらに毛材５を柄４の先端部分を回り込み湾曲部４ｂの内側にも同様に植毛し、５ｃをする。【０００９】  本考案の一実施例は上述の如き構成からなるものであるから、ボトル内へブラシ１を挿入し、湾曲部４ａの毛材５ａをボトル内側の口部や肩部の傾斜に沿って接触させ、洗浄する。同様に湾曲部４ｂの毛材５ｂをボトル内側の胴部に接触させ、洗浄する。さらに、柄４の先端の毛材５ｃをボトル底部や底部週緑に接触させて洗浄し、湾曲部４ｂの内側の毛材５ｃをボトル内側の凹凸や細部に確実に接触させて洗浄する。
【図面の簡単な説明】
【００１０】
【図１】本考案のボトル洗浄用ブラシの一実施例を示す横から見た図である。
【記号の説明】
【００１１】  １  ブラシ
２  把手
３  ブラシ本体
４  柄
５  毛材
【図１】
0003107579.tif 000003
(57)【要約】【課題】従来、結婚披露宴やパーティー時に行う列席者向けの余興で、リボンや紐を使った景品当てゲームは、縫いぐるみや人形をリボンや紐で縛っていた。縫いぐるみや人形を縛っていると、景品が当たった人は取りに行くか届けてもらうしかない。また、縛っているリボン等を引っ張ると床に落ちてしまい汚れる危険性があった。本考案は、縫いぐるみや人形を落とすこともなく、当選者の手元へ届ける事を可能にするものである。【解決手段】本考案は、縫いぐるみや人形本体にリング体を備え、そのリングにリボンや紐を通しておく。結婚披露宴やパーティー時に行う列席者向けの余興で、リボンや紐を使った景品当てゲームの  当たりの景品は、リングに通されたリボンや紐を滑って当たりのリボンや紐を引いた（持った）参加者の手元へと届く。【選択図】  図１
0003107577.tif 000002
【実用新案登録請求の範囲】
【請求項１】
動植物を模った縫いぐるみ本体に、リボンまたは紐などを通すリング体を備えた事を特徴とする縫いぐるみ。
【請求項２】
自動車や建物などを模った縫いぐるみ本体に、リボンまたは紐などを通すリング体を備えた事を特徴とする縫いぐるみ。
【考案の詳細な説明】
【技術分野】
【０００１】  本考案は、結婚披露宴や誕生日などのパーティー時に使用する縫いぐるみ人形に関する。
【背景技術】
【０００２】  結婚披露宴やパーティー時に行う列席者向けの余興で、リボンや紐を使った景品当てゲームは、縫いぐるみや人形をリボンや紐で縛っていた。
【考案の開示】
【考案が解決しようとする課題】
【０００３】  縫いぐるみや人形を縛っていると、景品が当たった人は取りに行くか届けてもらうしかない。また、縛っているリボン等を引っ張ると床に落ちてしまい汚れる危険性があった。【０００４】  本考案は、縫いぐるみや人形を落とすこともなく、当選者の手元へ届ける事を可能にするものである。
【課題を解決するための手段】
【０００５】  本考案は、縫いぐるみや人形本体にリング体を備え、そのリングにリボンや紐を通しておく。【０００６】  結婚披露宴やパーティー時に行う列席者向けの余興で、リングに通されたリボンや紐の片方の端を参加者たちがそれぞれに持つ。【０００７】  もう一方の端は一つにまとめて持ち、その中から当たりのリボンや紐を決める。【０００８】  次に参加者たちに一斉にリボンや紐をひいてもらう。そのときにもう一方の端は当たりのリボンや紐だけを残して（持って）、当たり以外は放してしまう。【０００９】  当たりの景品は、リングに通されたリボンや紐を滑って当たりのリボンや紐を引いた（持った）参加者の手元へと届く。
【図面の簡単な説明】
【００１０】
【図１】本考案に係る縫いぐるみ人形の背面斜視図である。
【図２】本考案の他の実施例に係る縫いぐるみの斜視図である。
【図３】１個のリング体の取付け例を示す斜視図である。
【図４】リボンの斜視図である。
【符号の説明】
【００１１】１  人形本体
２  リング体
３  リボン
【図１】
0003107577.tif 000003
【図２】
0003107577.tif 000004
【図３】
0003107577.tif 000005
【図４】
0003107577.tif 000006
(57)【要約】      （修正有）【課題】この考案は、ベルト式真空包装機において、チャンバー台の取付け位置をそのままにし、チャンバー台の搬送ベルトとの接触面に工夫を施すことにより、接触面を少なくするベルト式真空包装機におけるチャンバー台を提供する。【解決手段】ベルト式真空包装機におけるチャンバー台１であって、搬送ベルトの進行方向と並行に、適宜な厚みと幅と長さを有する短冊状のプレート３複数枚を該チャンバー台１に一定間隔置きに設け、これら短冊状のプレート３をチャンバー台１に固定手段により装着したことを特徴とするチャンバー台から構成されている。【選択図】図２
0003107531.tif 000002
【実用新案登録請求の範囲】
【請求項１】
ベルト式真空包装機（Ｘ）におけるチャンバー台（１）であって、搬送ベルト（２）の進行方向と並行に、適宜な厚みと幅と長さを有する短冊状のプレート（３）複数枚を該チャンバー台（１）に一定間隔置きに設け、これら短冊状のプレート（３）をチャンバー台（１）に固定手段（４）により装着したことを特徴とするチャンバー台。
【考案の詳細な説明】
【技術分野】
【０００１】
この考案は、ベルト式真空包装機におけるチャンバー台に関する。
【背景技術】
【０００２】
従来、包装袋の内部を真空にするベルト式真空包装機は、搬送ベルトを介して、上部にチャンバーを設け、下部にチャンバー台を設けており、搬送ベルト上に商品を入れた包装袋を載置し、チャンバーを搬送ベルトを介してチャンバー台と閉塞し、この空間を真空状態にして、包装袋の内部を真空にして包装するものである。
【０００３】
しかし、このようなベルト式真空包装機は、搬送ベルトの作動時に、搬送ベルトとチャンバー台の上面とが接触して摺動するため、搬送ベルトの接触面が密着し傷むという欠点があった。
【０００４】
そのため、チャンバー台を搬送ベルトから離して設置すると、チャンバーを閉じた際、チャンバー台との空間を真空状態に保持しにくい場合があった。
【考案の開示】
【考案が解決しようとする課題】
【０００５】
そこで、この考案は、ベルト式真空包装機において、チャンバー台の取付け位置をそのままにし、チャンバー台の搬送ベルトとの接触面に工夫を施すことにより、接触面を少なくするベルト式真空包装機におけるチャンバー台を開発することにある。
【課題を解決するための手段】
【０００６】
この考案によると、ベルト式真空包装機におけるチャンバー台は、チャンバー台の上部に、搬送ベルトの進行方向に並行して、短冊状のプレートを一定間隔置きに設けることにより、搬送ベルトの接触面を少なくするように構成するベルト式真空包装機におけるチャンバー台から構成されていることを特徴とする。
【考案の効果】
【０００７】
この考案によると、搬送ベルト（２）と、チャンバー台（１）に設けた短冊状のプレート（３）が摺動し、各プレート間の隙間が形成されるため、搬送ベルト（２）がチャンバー台（１）により、回転を阻止されたりすることがなく、極めて有益なる効果を奏する。
【考案を実施するための最良の形態】
【０００８】
以下、この考案の一実施例を図面に基づいて説明すると、ベルト式真空包装機（Ｘ）におけるチャンバー台（１）であって、搬送ベルト（２）の進行方向と並行に、適宜な厚みと幅と長さを有する短冊状のプレート（３）複数枚を該チャンバー台（１）に一定間隔置きに設け、これら短冊状のプレート（３）をチャンバー台（１）に固定手段（４）により装着したことを特徴とするチャンバー台から構成されている。
【０００９】
そして、（Ｙ）は、チャンバーであり、また、固定手段（４）の一例としては、図３に示すようにチャンバー台（１）に、短冊状のプレート（３）を溶接にて固着したり、図４に示すようにボルト・ナットで締めつけ、着脱可能に固定するものである。
【図面の簡単な説明】
【００１０】
【図１】この考案の一実施例を示す真空包装機の側面図である。
【図２】この考案に使用するチャンバー台の一実施例を示す斜視図である。
【図３】この考案の一実施例を示す一部欠截要部拡大説明図である。
【図４】この考案の他の実施例を示す一部欠截要部拡大説明図である。
【符号の説明】
【００１１】
１  チャンバー台
２  搬送ベルト
３  短冊状のプレート
４  固定手段
Ｘ  ベルト式真空包装機
Ｙ  チャンバー
【図１】
0003107531.tif 000003
【図２】
0003107531.tif 000004
【図３】
0003107531.tif 000005
【図４】
0003107531.tif 000006
(57)【要約】      （修正有）【課題】ベルト式真空包装機において、搬送ベルトには、何ら穴等の細工を設けず、堅牢な搬送ベルトをそのまま維持することのできるベルト式真空包装機におけるチャンバー台を提供する。【解決手段】ベルト式真空包装機において、搬送ベルト１を介して、上方にチャンバー２を設け、下方にチャンバー台３を設け、該チャンバー台３には、搬送ベルト１の進行方向と並行に、複数本の溝４を穿設すると共に、チャンバー台３の下方に複数の通孔５を設け、一方、チャンバー２にも通孔５を設け、これら各孔より真空引きすることを特徴とするチャンバー台から構成される。【選択図】図３
0003107532.tif 000002
【実用新案登録請求の範囲】
【請求項１】
ベルト式真空包装機において、搬送ベルト（１）を介して、上方にチャンバー（２）を設け、下方にチャンバー台（３）を設け、該チャンバー台（３）には、搬送ベルト（１）の進行方向と並行に、複数本の溝（４）を穿設すると共に、チャンバー台（３）の下方に複数の通孔（５）を設け、一方、チャンバー（２）にも通孔（５）を設け、これら各孔より真空引きすることを特徴とするチャンバー台。
【請求項２】
チャンバー台（３）に設ける複数の通孔（５）が、複数本の溝（４）内に設けられたことを特徴とする請求項１記載のチャンバー台。
【考案の詳細な説明】
【技術分野】
【０００１】
この考案は、ベルト式真空包装機におけるチャンバー台に関する。
【背景技術】
【０００２】
従来、包装袋の内部を真空にするベルト式真空包装機は、搬送ベルトを介して、上部にチャンバーを設け、下部にチャンバー台を設けており、搬送ベルト上に商品を入れた包装袋を載置し、チャンバーを搬送ベルトを挟んだ状態でチャンバー台と閉塞し、この空間を真空状態にして、包装袋の内部を真空にして包装するものである。
【０００３】
しかし、このようなベルト式真空包装機は、図４に示すように、チャンバー側からのみ真空引きをするため、搬送ベルトが、チャンバー台より浮き、上方に吸引されないように、搬送ベルトに複数個の穴を設け、チャンバー台と搬送ベルトとの間に、独立した隙間部を形成しないよう構成していた。
【０００４】
しかし、このように搬送ベルトには複数の穴を形成しているため、搬送ベルトとして強度的にも落ち、長期間使用に耐えないという欠点があった。
【考案の開示】
【考案が解決しようとする課題】
【０００５】
そこで、この考案は、ベルト式真空包装機において、搬送ベルトには、何ら穴等の細工を設けずに、堅牢な搬送ベルトをそのまま長期間使用できるベルト式真空包装機におけるチャンバー台を開発することにある。
【課題を解決するための手段】
【０００６】
この考案によると、ベルト式真空包装機において、チャンバー側とチャンバー台側からそれぞれ吸引できるよう構成するベルト式真空包装機におけるチャンバー台から構成されていることを特徴とする。
【考案の効果】
【０００７】
この考案によると、搬送ベルトを挟んで、チャンバーとチャンバー台からそれぞれ真空引きをすため、搬送ベルトは、下部に位置するチャンバー台方向からも吸引されるため、チャンバー方向に引っ張られることがなく、チャンバー内を真空状態にして真空包装が確実に行え、また、搬送ベルトの寿命も長くなる等極めて有益なる効果を奏する。
【考案を実施するための最良の形態】
【０００８】
以下、この考案の一実施例を図面に基づいて説明すると、ベルト式真空包装機（Ｘ）において、搬送ベルト（１）を介して、上方にチャンバー（２）を設け、下方にチャンバー台（３）を設け、該チャンバー台（３）には、搬送ベルト（１）の進行方向と並行に、複数本の溝（４）を穿設すると共に、チャンバー台（３）の下方に複数の通孔（５）を設け、一方、チャンバー（２）にも通孔（５）を設け、これら各孔より真空引きすることを特徴とするチャンバー台から構成される。
【０００９】
尚、チャンバー台（３）に設ける複数の通孔（５）は、チャンバー台の複数本の溝（４）内に設けらるものであり、また、チャンバー（２）側も、チャンバー台（３）側も、それぞれ吸引パイプ（６）により、それぞれ、吸引され、これにより、搬送ベルト（１）はチャンバー台（３）側に吸引された状態で、チャンバー（２）内を真空状態を保つものである。
【図面の簡単な説明】
【００１０】
【図１】この考案の一実施例を示すベルト式真空包装機の側面図である。
【図２】この考案に使用するチャンバー台の一実施例を示す説明図である。
【図３】この考案の一実施例を示す一部欠截要部拡大説明図である。
【図４】従来例を示す一部欠截要部拡大説明図である。
【符号の説明】
【００１１】
１  搬送ベルト
２  チャンバー
３  チャンバー台
４  溝
５  通孔
６  吸引パイプ
Ｘ  ベルト式真空包装機
【図１】
0003107532.tif 000003
【図２】
0003107532.tif 000004
【図３】
0003107532.tif 000005
【図４】
0003107532.tif 000006
(57)【要約】      （修正有）【課題】ベルト式真空包装機において、搬送ベルトに特殊なシール台を設けることにより、厚さの異なる包装袋であても、臨機応変に対処でき、しかも、シールゴムの寿命も長いベルト式真空包装機におけるシール台の固定構造を提供する。【解決手段】ベルト式真空包装機において、搬送ベルト１に、シール台２を、面ファスナー３を介して装着し、さらに該シール台２には、シールゴム４を支持するシールゴムホルダー５と面ファスナー３で固定するベルト式真空包装機におけるシール台の固定構造であり、シールゴム４の断面形状を台形状に形成し、シールゴム４を支持するシールゴムホルダー５を断面形状を、台形状に適合するアリ溝状に形成し、シールゴム４を嵌着する構造とし、シールゴムホルダー５でシールゴム４を離脱不能に固定するものである。【選択図】図２
0003107533.tif 000002
【実用新案登録請求の範囲】
【請求項１】
ベルト式真空包装機（Ｘ）において、搬送ベルト（１）に、シール台（２）を、面ファスナー（３）を介して装着し、さらに該シール台（２）には、シールゴム（４）を支持するシールゴムホルダー（５）と面ファスナー（３）で固定することを特徴とするベルト式真空包装機におけるシール台の固定構造。
【請求項２】
シールゴム（４）の断面形状を台形状に形成し、該シールゴムを支持するシールゴムホルダー（５）を断面形状を、前記台形状に適合するアリ溝状に形成し、該シールゴムを嵌着する構造とし、シールゴムホルダー（５）でシールゴム（４）を離脱不能に固定することを特徴とする請求項１記載のベルト式真空包装機におけるシール台の固定構造。
【考案の詳細な説明】
【技術分野】
【０００１】
この考案は、ベルト式真空包装機におけるシール台の固定構造に関する。
【背景技術】
【０００２】
従来、包装袋の内部を真空にして包装するベルト式真空包装機は、搬送ベルトを介して、上部にチャンバーを設け、下部にチャンバー台を設けており、搬送ベルト上に、複数のシール台を設け、該シール台に、商品を入れた包装袋を載置し、この搬送ベルトを挟んだ状態で、チャンバーとチャンバー台との間を閉塞し、この空間を真空状態にして、包装袋の内部を真空にして包装するものである。
【０００３】
しかし、このようなベルト式真空包装機の搬送ベルトに装着するシール台は、図３に示すように、搬送ベルトとゴムホルダーとの間にリベットで固定されており、また、ゴムホルダーは断面形状が矩形であり、断面形状がコ字状のゴムホルダーを両先端部を内方に折り曲げ、シールゴムの両側面に食い込むように固定していた。
【０００４】
しかし、このように搬送ベルトに固定されたシール台では、搬送ベルトの進行方向に向けて、一定の間隔毎に固定されており、大きさの異なる包装袋を使用しての真空包装は、不可能であったり、また、ゴムホルダーの両端部がシールゴムの側面に食い込むため、シールゴムが弱くなるという欠点があった。
【考案の開示】
【考案が解決しようとする課題】
【０００５】
そこで、この考案は、ベルト式真空包装機において、搬送ベルトに特殊なシール台を設けることにより、厚さの異なる包装袋であても、臨機応変に対処でき、しかも、シールゴムの寿命も長いベルト式真空包装機におけるシール台の固定構造を開発・製造することにある。
【課題を解決するための手段】
【０００６】
この考案によると、ベルト式真空包装機において、搬送ベルトへのシール台を面ファスナーを用いて着脱自在とすることにより、また、シール台と、該シール台に設けるシールゴムホルダーとを面ファスナーで着脱自在に設け、シールゴムの断面形状を台形状に形成し、シールゴムホルダーを断面形状を、前記台形に適合するアリ溝状に形成し、シールゴムホルダーに該シールゴムを嵌着する構造とし、離脱不能に固定するベルト式真空包装機におけるシール台の固定構造である。
【考案の効果】
【０００７】
この考案によると、搬送ベルトに、面ファスナーにて着脱自在にシール台を設けることにより、シール台の高さを自在に変更でき、厚さの異なった包装袋での真空包装が可能となり、さらに、断面形状を台形状にしたシールゴムと、該台形状に適合するアリ溝状に形成したシールゴムホルダーとが、嵌着され、シールゴムの側面がシールゴムホルダーによって食い込み、傷が着くことなく、長時間に渡って使用できる等極めて有益なる効果を奏する。
【考案を実施するための最良の形態】
【０００８】
以下、この考案の一実施例を図面に基づいて説明すると、ベルト式真空包装機（Ｘ）において、搬送ベルト（１）に、シール台（２）を、面ファスナー（３）を介して装着し、さらに該シール台（２）には、シールゴム（４）を支持するシールゴムホルダー（５）と面ファスナー（３）で固定することを特徴とするベルト式真空包装機におけるシール台の固定構造から構成される。尚、搬送ベルト（１）側にも当然、面ファスナーは設けられている。
【０００９】
また、ベルト式真空包装機（Ｘ）において、（Ｙ）はチャンバーである。
【００１０】
さらに、このベルト式真空包装機（Ｘ）において、シールゴム（４）の断面形状を台形状に形成し、該シールゴム（４）を支持するシールゴムホルダー（５）を断面形状を、前記台形状に適合するアリ溝状に形成し、該シールゴム（４）を嵌着する構造とし、シールゴムホルダー（５）でシールゴム（４）を離脱不能に固定するものである。
【図面の簡単な説明】
【００１１】
【図１】この考案の一実施例を示すベルト式真空包装機の平面図である。
【図２】この考案に使用するシール台の一実施例を示す一部欠截拡大説明図である。
【図３】従来例を示す一部欠截要部拡大説明図である。
【符号の説明】
【００１２】
１  搬送ベルト
２  シール台
３  面ファスナー
４  シールゴム
５  シールゴムホルダー
Ｘ  ベルト式真空包装機
Ｙ  チャンバー
【図１】
0003107533.tif 000003
【図２】
0003107533.tif 000004
【図３】
0003107533.tif 000005
(57)【要約】【課題】本考案は、建築用資材の建材ボード類を建設施工するにあたり建材ボードの加工時に発生する粉塵屑や小型の切断屑を収集する収集器であり、加工作業後の清掃作業の簡略化、作業場の粉麈飛散を大幅に減少する事で作業場内の作業環境を改善する。【解決手段】本考案は、ダスト・トラップ本体１を６の建材ボード類の１面（加工状況により２面から３面）側面に接続し６の重ねた建材ボードの最上部のボード加工時に発生する粉塵や小型切断屑を１の本体で受ける事により建材ボードの粉塵や切断屑の飛散や散乱を大幅に減少できる。その事により清掃作業の簡略化や加工作業場内の環境が著しく改善される。【選択図】図２
0003107501.tif 000002
【実用新案登録請求の範囲】
【請求項１】
建築用資材の建材ボード類（石膏ボード、石綿板、石綿スレート板、ロックウール吸音板、繊維強化セメント板、けい酸カルシウム板）等を建設現場及び加工所等において加工する場合、ボード類をカッターナイフやノコギリ、電動切断機等で切断し切断面を専用ヤスリ等で修正します。その時に発生する粉塵や、小型切断屑を地面や床に散乱させない為に、加工する建材ボード類と地面、床との間に長尺塩ビ製のＵ字型トラップを接続する事により地面や床に散乱・飛散する粉塵や小型切断屑をそのトラップにて受けることにより建設現場や加工所の清掃を簡略することが出来、また飛散する粉塵をも減少することが出来る。その事により建設現場や加工所の作業環境も改善する事が出来る。
【考案の詳細な説明】
【技術分野】
【０００１】本考案は、建築用資材の建材ボード類を現場施工するにあたり、加工時に発生する粉塵や小型切断屑の収集に関するものである。
【背景技術】
【０００２】現在、建築資材である建材ボード類は建設現場や加工所において各建設現場に適した寸法に加工を施すが、施工加工時に発生する粉塵や小型切断屑の収集や清掃等は、作業終了時に行われている為、建材ボードの粉塵や小型切断屑が建設現場や加工所に散乱・飛散しているのが現状である。
【考案の開示】
【考案が解決しようとする課題】
【０００３】建築用資材の建材ボード類の施工加工において発生する粉塵や小型切断屑を収集するにあたり適切な収集器具が無い為、加工時に発生する粉塵や小型切断屑が直接地面や床に散乱し、その粉塵や小型切断屑が建設現場や加工所を汚し清掃を困難化し粉塵の飛散等により作業環境の悪化が問題視されている。しかし建材ボードと床との間に粉塵や小型切断屑を収集する長尺塩ビ製のＵ字型トラップを接続する事により粉塵や小型切断屑の散乱や飛散を減少する事が出来る。
【課題を解決するための手段】
【０００４】本考案は、建築用資材の建材ボード類と床（地面）との間に長尺塩ビ製のＵ字型トラップをコの字型に３面接続する事により加工時に発生する粉塵の飛散や小型切断屑の散乱を減少させる事が出来、作業環境の問題も改善できる。また、長尺塩ビ製のＵ字型トラップはボードとの接続部にシリコンゴムの滑り止めが付いており安易に外れる事はなく、Ｕ字型の幅寸法も０．１ｍであり作業の妨げにならず作業効率を減少させない。
【考案の効果】
【０００５】上述の様に、本考案の建築用建材ボード類の加工時ダスト・トラップは接続が簡易的であり加工粉塵や小型切断屑の収集が良く粉塵の飛散や切断屑の散乱が大幅に減少する事が出来る為、作業環境が改善し加工作業後の清掃も大幅に簡略化出来る。
【考案を実施するための最良の形態】
【０００６】建設作業現場や加工所において、建材ボード類の加工作業は工場生産された定尺寸法の建材ボードを加工台の上に数十枚載せて加工します。
本考案の建築用建材ボード類の加工時ダスト・トラップを数十枚重ねた建材ボードの中間位置に１面もしくは３面接続挟み込みます。（加工状況により接続位置の高さや接続面の数は自在です。）
【実施例】
【０００７】以下、添付図面に従って一実施例を説明する。１は塩ビ製のＵ字型ダスト・トラップ本体、２は建材ボードに挟み込み用の接続部分、３は外れ防止用のシリコンゴムの線であり４は裏面の外れ防止用シリコンゴムである。５は本体をジョイントする為に２を短くしてある。【０００８】６は建材ボードを数十枚重ねた状態である。１ａは６の建材ボードを数十枚重ねた中段部よりやや上の部分の１面だけに、２の挟み込み用接続部分をボードとボードの間に挟み込み接続したものである。【０００９】本考案の一実施例は上述の如き構成からのものであるが、ダスト・トラップ本体１を加工状況に応じて、建材ボードの２面部分に接続したり３面、４面に接続したりと自在である。また、取付け高さも同様である。
【図面の簡単な説明】
【００１０】
【図１】  本考案の建築用建材ボード類の加工時ダスト・トラップ本体図である。
【図２】  本ダスト・トラップを建材ボード類の１面のみに接続した図である。
【符号の説明】
【００１１】    １    ダスト・トラップ本体
１ａ  ダスト・トラップ接続時
２    挟み込み用接続部
３    外れ防止シリコンゴム
４    外れ防止シリコンゴム裏面用
５    本体同士ジョイント用スペース
６    建材ボード（数十枚重ね）
【図１】
0003107501.tif 000003
【図２】
0003107501.tif 000004
【手続補正書】
【提出日】平成16年9月7日(2004.9.7)
【手続補正１】
【補正対象書類名】明細書
【補正対象項目名】０００７
【補正方法】変更
【補正の内容】
【０００７】以下、添付図面に従って一実施例を説明する。１は塩ビ製又はプラスチック製のＵ字型や上開きコの字型のダスト・トラップ本体、２は建材ボードに挟み込み用の接続部分、３は外れ防止のシリコンゴムの線であり４は裏面の外れ防止用シリコンゴムである。５は本体をジョイントする為に２を短くしてある。図面にはＵ字型を記載。
【手続補正書】
【提出日】平成16年10月4日(2004.10.4)
【手続補正１】
【補正対象書類名】実用新案登録請求の範囲
【補正対象項目名】請求項１
【補正方法】変更
【補正の内容】
【請求項１】
加工する建材ボード類の間に挟み込み可能な接続部２を有し、その接続部２の先に加工時に発生した粉塵や小型切断屑を受ける為の長尺断面Ｕ字型又は上開き断面コの字型のダストトラップ１を設けた事を特徴とするダストトラップ。
(57)【要約】      （修正有）【課題】料理を取る際にも箸を置く際にも便利に使用できる割り箸を提供する。【解決手段】本考案の割り箸は、一体になった箸本体部分１１及び箸枕部分１２からなる。箸枕部分と箸本体部分の間には切断槽１１５がある。箸本体部分は滑り止めの模様部分１１４が設けてある。箸本体部分の末端部分にある下部錐状部分１１１には、横向きの模様１１２が入っている。さらに、下部錐状部分両側には縦のくぼみ槽１１３がある。また、箸枕部分表面には、くぼんだ面１２１がある。【選択図】図１
0003107510.tif 000002
【実用新案登録請求の範囲】
【請求項１】
一体になった箸本体部分と箸枕部分からなり、
箸枕部分と箸本体部分の間には切断槽があって、箸枕部分を折って切断しやすいようになっていて、箸本体部分には手で持ちやすいように、滑り止めの模様部分が設けてあり、また、箸本体部分の末端部分にある下部錐状部分には、横向きの模様が入っていて、さらに、下部錐状部分両側には縦のくぼみ槽があって、
割り箸の箸枕部分表面には、くぼんだ面があって、使用時に箸枕部分を折って切断した後、テーブルの上に置いて、箸本体部分を置くようになっていることで、テーブル面を汚したり、テーブル面の汚れが割り箸についたりすることがないという特長を持つ割り箸。
【考案の詳細な説明】
【技術分野】
【０００１】
本考案は割り箸に関する。本考案の割り箸は日頃使用している割り箸を改良したもので、料理を取る際にも箸を置く際にも便利に使用できるという特長を持つ。
【背景技術】
【０００２】
従来、比較的質感を追求した割り箸は、通常製造時に連結する方法で上端部を設けてある。しかしながら、使用時に連結部分を折って切断し、箸枕がない時割り箸を使用する場合、箸の先についた油や汁等がテーブル面についてしまう。また、テーブル面が清潔でない時には、衛生面から見て箸をじかに置くのがはばかられる。このように、従来の割り箸には使用上の欠点があり、理想的だとは言えない。
【考案の開示】
【考案が解決しようとする課題】
【０００３】
本考案は、上記従来の割り箸の欠点を解決することを課題とする。
【課題を解決するための手段】
【０００４】
本考案の割り箸は、一体になった箸本体部分及び箸枕部分からなる。箸枕部分と箸本体部分の間には切断槽があって、箸枕部分を折って切断しやすいようになっている。箸本体部分は手で持ちやすいように、滑り止めの模様部分が設けてある。箸本体部分の末端部分にある下部錐状部分には、横向きの模様が入っていて、食事の際に食べ物をはさんだ時滑り落ちにくくなっている。さらに、下部錐状部分両側には縦のくぼみ槽がある。また、本考案の割り箸の箸枕部分表面には、くぼんだ面があって、使用時に箸枕部分を折って切断した後、テーブルの上に置いて、箸本体部分を置くようになっている。こうすることで、テーブル面を汚したり、テーブル面の汚れが割り箸についたりすることがない。そして、箸本体部分の下部錐状部分には模様が入っていて、食べ物をはさんだ時滑り落ちにくくなっている。さらに、下部錐状部分両側には縦のくぼみ槽があって、汁気の多い食べ物をはさんだ時、汁がその縦のくぼみ槽に沿って流れ落ちるようになっている。
【考案の効果】
【０００５】
本考案の割り箸は、その箸本体部分に、手で持ちやすいように、滑り止めの模様部分が設けてある。また、箸本体部分の末端部分にある下部錐状部分には、横向きの模様が入っていて、食事の際に食べ物をはさんだ時滑り落ちにくくなっている。さらに、下部錐状部分両側には縦のくぼみ槽があって、汁気の多い食べ物の場合、その汁がこの縦のくぼみ槽３に沿って流れ落ちるようになっている。その上、箸枕部分があることでテーブル面を汚したり、テーブル面の汚れが割り箸についたりすることがない。したがって、本考案の割り箸は、料理を取る際にも箸を置く際にも便利に使用できるという特長を持つ。
【考案を実施するための最良の形態】
【０００６】
図１及び図２を参照いただきたい。本考案の割り箸１は、箸本体部分１１及び箸枕部分１２からなる。箸本体部分１１及び箸枕部分１２は一体になっている。箸枕部分１２と箸本体部分１１の間には切断槽１１５があって、箸枕部分１２を折って切断しやすいようになっている（図３を参照いただきたい）。
【０００７】
箸本体部分１１は手で持ちやすいように、滑り止めの模様部分１１４が設けてあり、滑り落ちにくくなっている。さらに、箸を使い始めた人にとっては、この設計は補助作用を持つ。また、箸本体部分１１の末端部分にある下部錐状部分１１１には、横向きの模様１１２が入っていて、食事の際に食べ物をはさんだ時滑り落ちにくくなっている。さらに、下部錐状部分１１１両側には縦のくぼみ槽１１３があって、汁気の多い食べ物の場合、その汁がこの縦のくぼみ槽１１３に沿って流れ落ちるようになっている。
【０００８】
図４を参照いただきたい。本考案の割り箸１の箸枕部分１２表面には、くぼんだ面１２１があって、使用時に箸枕部分１２を折って切断した後、テーブルの上に置いて、箸本体部分１１を置くようになっている。こうすることで、テーブル面を汚したり、テーブル面の汚れが割り箸１についたりすることがない。
【０００９】
本考案の割り箸は、丁寧に加工することで、従来の割り箸のように手にとげが刺さるのを防ぐことができる上に、滑り止めの模様部分を設けたこと、及び、箸枕の機能があることによって、食事の際に便利に使用することができる。
【図面の簡単な説明】
【００１０】
【図１】本考案の割り箸の外観図である。
【図２】本考案の割り箸の側面図である。
【図３】本考案の割り箸の使用状態を示した図である。
【図４】本考案の割り箸の下部の箸置き部分を折った後の使用状態を示した図である。
【符号の説明】
【００１１】
１        割り箸
１１      箸本体部分
１１１    下部錐状部分
１１２    横向きの模様
１１３    縦のくぼみ槽
１１４    滑り止めの模様部分
１１５    切断槽
１２      箸枕部分
１２１    くぼんだ面
【図１】
0003107510.tif 000003
【図２】
0003107510.tif 000004
【図３】
0003107510.tif 000005
【図４】
0003107510.tif 000006
(57)【要約】【課題】本考案は、長期間の使用に耐え、かつ、分解や破損などが生じないクリップを提供することにある。【解決手段】本考案に係る磁着式クリップＡは、二つ折り可能なシート片１０の二つ折り状態において相対面するそれぞれの位置に、一面と他面とが異極となるように磁石２０、３０を取着してなるものである。【選択図】        図１
0003107589.tif 000002
【実用新案登録請求の範囲】
【請求項１】
二つ折り可能なシート片の二つ折り状態において相対面するそれぞれの位置に、一面と他面とが異極となるように磁石を取着してなることを特徴とする磁着式クリップ。
【考案の詳細な説明】
【技術分野】
【０００１】
本考案は、扁平物を挟持するクリップに関し、特に磁石の接着力による適度な挟持力により紙や布地などの扁平物を挟持するクリップに関する。
【背景技術】
【０００２】
従来より、バネ等の復元力にて扁平物を挟持するクリップが一般に使用されている。
【考案の開示】
【考案が解決しようとする課題】
【０００３】
しかしながら、従来のクリップは、長期間の使用によりバネの復元力がへたったり、分解あるいは破損するなどの欠点があった。
【０００４】
そこで、本考案者は、長期間の使用に耐え、かつ、分解や破損などが生じないクリップを開発した。
【課題を解決するための手段】
【０００５】
本考案に係る磁着式クリップは、二つ折り可能なシート片の二つ折り状態において相対面するそれぞれの位置に、一面と他面とが異極となるように磁石を取着してなることを特徴とするものである。
【考案の効果】
【０００６】
本考案に係る磁着式クリップは、磁力により接着するので、従来のバネの復元力を利用したクリップのように長期間の使用によりへたるようなことはない。また、構造が簡単であるため、分解や破損するおそれがない。
【０００７】
したがって、本考案に係る磁着式クリップは、長期間の使用に耐える優れたクリップである。
【考案を実施するための最良の形態】
【０００８】
以下、本考案に係る磁着式クリップの実施例を添付の図面に基づいて詳細に説明する。
【０００９】
図１は磁着式クリップを開いた状態を示す斜視図であり、図２は磁着式クリップの閉じた状態を示す斜視図であり、図３は磁着式クリップの使用状態を示す斜視図である。
【００１０】
各図において、Ａは磁着式クリップであり、シート片１０に磁石２０、３０を取着したものである。
【００１１】
前記シート片１０は、縦長の紙製のシートよりなり、その中央に折れ線１１が配されていて、二つ折り可能な形態をなしている。なお、このシート片１０は、紙製に限らず、合成樹脂製、金属製、木製、あるいはそれらの積層体であってもよく、二つ折り可能で扁平なシートであればよい。また、シート片１０の形状についても、本実施例の形状のものに限られるものではなく、円形、楕円形、菱形、錘型、涙型、その他の種々の形状が採用可能である。
【００１２】
上記シート片１０に取着されている磁石２０、３０は、シート片１０を二つ折りした状態において、相対面する位置に接着剤などにより取着されている。そして、これらの磁石２０、３０は、一面と他面とが異極となるように取着されている。すなわち、磁石２０の表面２０ａはＮ極であり、磁石３０の表面３０ａはＳ極であって、磁石２０と磁石３０の各表面２０ａ、３０ａを近接すると、磁力により各磁石が接着するようになっている。この磁石２０、３０は、磁気を有する粉体を練り込んだ合成樹製やゴム製のものを使用すると、可撓性があるため曲げ応力に対して耐久性があり、折曲して破損することがないので好ましいが、通常の磁石を使用してもよい。
【００１３】
上記の構成より、磁着式クリップＡは、図３に例示されるように数枚束ねた紙片Ｂを挟持する紙挟みとして使用することが可能である。そればかりでなく、布地などを挟持することができるので、ポケットの開口部に挟持させて名札等の表示に使用することも可能である。また、インデックスや栞などにも使用できる。すなわち、挟持される対象物が上記の磁石２０、３０が接着できる程度に扁平なものであれば何にでも使用可能である。
【００１４】
以上詳述したように、本実施例に係る磁着式クリップＡは、シート片１０を二つ折りすれば、磁石２０、３０の磁力により二つ折りしたシート片１０が接着して、扁平物を挟持することができるので、従来のバネの復元力を利用したクリップのように長期間の使用によりへたるようなことはない。このように、本実施例に係る磁着式クリップＡは、構造が簡単であるため、分解や破損するおそれがなく、長期間の使用に耐える優れたクリップである。
【図面の簡単な説明】
【００１５】
【図１】本発明の実施例に係る磁着式クリップを開いた状態を示す斜視図である。
【図２】本発明の実施例に係る磁着式クリップの閉じた状態を示す斜視図である。
【図３】本発明の実施例に係る磁着式クリップの使用状態を示す斜視図である。
【符号の説明】
【００１６】
Ａ・・・磁着式クリップ
１０・・シート片
１１・・折れ線
２０・・磁石
２０ａ・磁石２０の表面（Ｎ極側）
３０・・磁石
３０ａ・磁石３０の表面（Ｓ極側）
Ｂ・・・数枚束ねた紙片
【図１】
0003107589.tif 000003
【図２】
0003107589.tif 000004
【図３】
0003107589.tif 000005